(57)【要約】  【課題】斬新で見た目に極めて面白みを生じさせる。  【解決手段】プリントによる被写体像が表示された台紙４の上に、枠６ａ内に被写体像の要部５ａが表示されるように中枠体６を貼着し、中枠体６の下に隠れた被写体像の付帯部５ｂを中枠体６上にプリントするとともに、要部５ａに対し付帯部５ｂは、その色どり、色の濃淡及び明るさの度合の少なくとも何れかについて変化を与えた。【選択図】図１
2007190764.tif 000002
【特許請求の範囲】
【請求項１】
プリントによる被写体像が表示された台紙の上に中枠体を貼着し、該中枠体の枠内に前記被写体像の要部を表示させた枠付き写真であって、
前記中枠体の下に隠れた前記被写体像の付帯部を前記中枠体上にプリントするとともに、前記被写体像の要部に対し前記中枠体上にプリントした付帯部は、その色どり、色の濃淡及び明るさの度合の少なくとも何れかについて変化を与えてなることを特徴とする枠付き写真。
【請求項２】
上記中枠体上にプリントした付帯部は、上記被写体像の要部の色よりも薄くなるように上記色の濃淡について変化を与えてなることを特徴とする請求項１記載の枠付き写真。
【請求項３】
上記中枠体の枠は、上記被写体像に応じて任意の形状及び任意の傾きとしてなることを特徴とする請求項１又は２記載の枠付き写真。
【発明の詳細な説明】
【技術分野】
【０００１】
本発明は、枠付き写真に関するものであり、特に、アルバム等の写真において、見た目に面白みを生じさせることができる枠付き写真に関するものである。
【背景技術】
【０００２】
従来の枠付き写真としては、例えば図４に示すようなものが一般的に知られている。一組の男女を被写体とした人物像１がプリントされた写真が、台紙２上に貼着されている。そして、縦長矩形の枠３ａ内に前記人物像１の全体が現れるようにして、前記写真の上から前記台紙２上に中枠体３が貼着されている。
【発明の開示】
【発明が解決しようとする課題】
【０００３】
しかしながら、上記従来技術においては、縦長矩形の枠内のみに人物像の全体が現れており、ありふれた枠付き写真であってアルバム等の写真として面白みがない。
【０００４】
そこで、斬新で見た目に極めて面白みを生じさせるために解決すべき技術的課題が生じてくるのであり、本発明はこの課題を解決することを目的とする。
【課題を解決するための手段】
【０００５】
本発明は上記目的を達成するために提案されたものであり、請求項１記載の発明は、プリントによる被写体像が表示された台紙の上に中枠体を貼着し、該中枠体の枠内に前記被写体像の要部を表示させた枠付き写真であって、前記中枠体の下に隠れた前記被写体像の付帯部を前記中枠体上にプリントするとともに、前記被写体像の要部に対し前記中枠体上にプリントした付帯部は、その色どり、色の濃淡及び明るさの度合の少なくとも何れかについて変化を与えてなる枠付き写真を提供する。
【０００６】
この構成によれば、被写体の全体像が表示されるとともに被写体像の要部と付帯部における色どり、濃淡及び明るさが、枠の部分で不連続となって前記被写体像の要部が中枠体の枠内に浮き上がって表示される。
【０００７】
請求項２記載の発明は、上記中枠体上にプリントした付帯部は、上記被写体像の要部の色よりも薄くなるように上記色の濃淡について変化を与えてなる枠付き写真を提供する。
【０００８】
この構成によれば、被写体像の要部と付帯部とが、色の濃淡により枠の部分で不連続になるとともに、付帯部に対し要部側が中枠体の枠内に確実に浮き上がって表示される。
【０００９】
請求項３記載の発明は、上記中枠体の枠は、上記被写体像に応じて任意の形状及び任意の傾きとしてなる枠付き写真を提供する。
【００１０】
この構成によれば、被写体が例えば一組の男女で、男性の方が背丈が高かった場合、男性像側の上部スペースが大きくなるような枠の形状ないしは傾きとすることで、被写体像の要部が中枠体の枠内にバランスよく収まる。
【発明の効果】
【００１１】
請求項１記載の発明は、中枠体の下に隠れた被写体像の付帯部を前記中枠体上にプリントするとともに、前記被写体像の要部に対し前記中枠体上にプリントした付帯部は、その色どり、色の濃淡及び明るさの度合の少なくとも何れかについて変化を与えたので、被写
体像の要部と付帯部における色どり、濃淡及び明るさが、枠の部分で不連続となって前記被写体像の要部が枠内に浮き上がって表示されることで、斬新で見た目に極めて面白みを生じさせることができるという利点がある。
【００１２】
請求項２記載の発明は、上記中枠体上にプリントした付帯部は、上記被写体像の要部の色よりも薄くなるように上記色の濃淡について変化を与えたので、付帯部に対し、要部側を中枠体の枠内に確実に浮き上がって表示させることができるという利点がある。
【００１３】
請求項３記載の発明は、上記中枠体の枠は、上記被写体像に応じて任意の形状及び任意の傾きとしたので、請求項１又は２記載の発明の効果に加えてさらに、被写体像の要部を、中枠体の枠内にバランスよく収めることができるという利点がある。
【発明を実施するための最良の形態】
【００１４】
斬新で見た目に極めて面白みを生じさせるという目的を、プリントによる被写体像が表示された台紙の上に中枠体を貼着し、該中枠体における前記被写体像に応じて任意の形状及び任意の傾きとした枠内に前記被写体像の要部を表示させた枠付き写真であって、前記中枠体の下に隠れた前記被写体像の付帯部を前記中枠体上にプリントするとともに、前記被写体像の要部に対し前記中枠体上にプリントした付帯部は、前記被写体像の要部の色よりも薄くなるように色の濃淡について変化を与えることにより実現した。
【実施例１】
【００１５】
以下、本発明の実施例を図面に従って詳述する。図１は枠付き写真の平面図、図２は図１の分解図であり、（ａ）は台紙の平面図、（ｂ）は中枠体の平面図である。
【００１６】
まず、図１及び図２の（ａ）、（ｂ）を用いて、本実施例に係る枠付き写真の構成を説明する。図２（ａ）に示すように、台紙４上に、プリントによる一組の男女を被写体とした被写体像５が表示されている。台紙４上に被写体像５を表示する手段としては、被写体像５をプリントした写真を台紙４に貼り付けてもよく、またプリント可能な台紙４が用いられているときは、該台紙４に被写体像５を直接プリントしてもよい。
【００１７】
図１に示すように、前記被写体像５が表示された台紙４上には、枠６ａ内に該被写体像５の要部５ａが現れるようにして、中枠体６が貼着されている。該中枠体６における前記枠６ａは、図２（ｂ）に示すように、前記被写体像５に応じて縦長矩形で図の左側に１０゜前後、傾いて開口されている。
【００１８】
また、前記中枠体６には、該中枠体６の下に隠れた前記被写体像５の付帯部５ｂがプリントされている。図２（ｂ）の例では、該付帯部５ｂとして女性側のドレスの裾部がプリントされ且つ、当該付帯部５ｂは、前記枠６ａ内の要部５ａの色よりも薄くなるように色の濃淡について変化が与えられている。
【００１９】
前記付帯部５ｂに対し色の濃淡について変化を与えたのは、中枠体６に付帯部５ｂをプリントしても、要部５ａと付帯部５ｂとを色について前記枠６ａの部分で不連続にして該枠６ａ内の要部５ａを浮き上がらせるためである。したがって、このためには前記色の濃淡についての変化のみに限らず、付帯部５ｂに対し色どり（配色）又は明るさの度合についての変化を与えてもよい。
【００２０】
次に、上述のように構成された枠付き写真の作用を説明する。中枠体６に、該中枠体６の下に隠れた前記被写体像５の付帯部５ｂがプリントされていることで、一組の男女からなる被写体の全体像が表示される。そして、被写体の全体像が表示されているにもかかわらず、付帯部５ｂが要部５ａの色よりも薄くなるように色の濃淡について変化が与えられ
ていることで、要部５ａと付帯部５ｂとが、枠６ａの部分で不連続となって、前記被写体像５の要部５ａが中枠体６の枠６ａ内に浮き上がって表示される。
【００２１】
また、中枠体６の前記枠６ａが、縦長矩形で図１の左側に１０゜前後、傾いて開口されていることで、背丈が高い男性像側の上部スペースが大きくなって、被写体像５の要部５ａが中枠体６の枠６ａ内にバランスよく収まる。
【００２２】
上述したように、本実施例に係る枠付き写真においては、中枠体６の下に隠れた前記被写体像５の付帯部５ｂを、当該中枠体６上にプリントし且つ、該付帯部５ｂを要部５ａの色よりも薄くして、該要部５ａを中枠体６の枠６ａ内に浮き上がらせたことで、斬新で見た目に極めて面白みを生じさせることができる。
【００２３】
前記中枠体６の枠６ａを、形状が縦長矩形で、図１の左側に１０゜前後、傾いて開口したことで、被写体像５の要部５ａを中枠体６の枠６ａ内にバランスよく収めることができる。
【００２４】
次いで、図３を用いて、本実施例における中枠体の変形例を説明する。図３は本変形例の平面図である。本変形例の中枠体７は、該中枠体７における枠７ａが、縦長の楕円形で、図３の右側に１０゜前後、傾いて形成されている。
【００２５】
枠７ａの形状が前記縦長の楕円形で、被写体が前記図１に示したような一組の男女の場合、当該枠７ａを右側に所要角度だけ傾けることで、背丈が高い男性像側の上部スペースが大きくなって、被写体像の要部を中枠体７の枠７ａ内にバランスよく収めることができる。
【００２６】
なお、本発明は、本発明の精神を逸脱しない限り種々の改変をなすことができ、そして、本発明が該改変されたものにも及ぶことは当然である。
【図面の簡単な説明】
【００２７】
【図１】本発明の実施例に係る枠付き写真の平面図。
【図２】図１の分解図であり、（ａ）は台紙の平面図、（ｂ）は中枠体の平面図。
【図３】本発明の実施例における中枠体の変形例を示す平面図。
【図４】従来の枠付き写真の平面図。
【符号の説明】
【００２８】
４          台紙
５          被写体像
５ａ        要部
５ｂ        付帯部
６，７      中枠体
６ａ，７ａ  枠
【図１】
2007190764.tif 000003
【図２】
2007190764.tif 000004
【図３】
2007190764.tif 000005
【図４】
2007190764.tif 000006